【事件の表示】
　特許第５７５５５１２号「ナビゲーション装置および地図表示方法」の請求項１ないし１２に係る特許に対する特許異議の申立てについて、次のとおり決定する。
【結　論】
　特許第５７５５５１２号の請求項１ないし１２に係る特許を維持する。
【理　由】
第１　手続の経緯
　特許第５７５５５１２号の請求項１ないし１２に係る特許についての出願（以下、「本件特許出願」という。）は、平成２３年６月１５日に特許出願され、平成２７年６月５日にその特許権が設定登録され、その後、その特許に対し、特許異議申立人特許業務法人にじいろ特許事務所（以下、「特許異議申立人」という。）により特許異議の申立てがされたものである。
　
第２　本件特許発明
　特許第５７５５５１２号の請求項１ないし１２に係る発明（以下、それぞれ「本件特許発明１」ないし「本件特許発明１２」という。）は、それぞれ、その特許請求の範囲の請求項１ないし１２に記載された事項により特定されるとおりのものであるところ、その請求項１及び１２の記載は次のとおりである。
　
「【請求項１】
地図データに基づいて、自車両の現在地周辺の第１の地図画像を生成し表示画面に表示する第１の地図表示制御部と、
　操作部に対するユーザ操作に応じて、前記第１の地図表示制御部により現在表示されている前記第１の地図画像上において、前記ユーザが所望する任意の地点を示す地点情報を地点情報記憶部に記録するとともに、当該第１の地図画像の表示形式を規定する表示形式情報を表示形式情報記憶部に記録する記録制御部と、
　前記操作部に対するユーザ操作に応じて、前記記録制御部により記録された前記表示形式情報に基づいて、前記地点情報により示される地点周辺の第２の地図画像を表示するための設定を行った上で、前記地図データに基づいて前記第２の地図画像を生成し前記表示画面に表示する第２の地図表示制御部とを備えたことを特徴とするナビゲーション装置。」
　
「【請求項１２】
地図データに基づいて、自車両の現在地周辺の第１の地図画像を生成し表示画面に表示する第１のステップと、
　操作部に対するユーザ操作に応じて、前記第１のステップにより現在表示されている前記第１の地図画像上において、前記ユーザが所望する任意の地点を示す地点情報を地点情報記憶部に記録するとともに、当該第１の地図画像の表示形式を規定する表示形式情報を表示形式情報記憶部に記録する第２のステップと、
　前記操作部に対するユーザ操作に応じて、前記第２のステップにより記録された前記表示形式情報に基づいて、前記地点情報により示される地点周辺の第２の地図画像を表示するための設定を行った上で、前記地図データに基づいて前記第２の地図画像を生成し前記表示画面に表示する第３のステップとを有することを特徴とする地図表示方法。」
　
第３　申立理由の概要
　特許異議申立人は、次の理由により、請求項１ないし１２に係る特許を取り消すべきであると主張している。
　
（１）本件特許発明１ないし１２は、特開２０１１−５８８７６号公報（以下、「甲第１号証」という。）、特開平２−４３５９３号公報（以下、「甲第２号証」という。）、特開２００８−１２２３４０号公報（以下、「甲第３号証」という。）、特開２００７−１３９４９２号公報（以下、「甲第４号証」という。）、特開２０１０−２８１７７０号公報（以下、「甲第５号証」という。）及び特開２０１０−１２２０６５号公報（以下、「甲第６号証」という。）に基づいて当業者が容易に発明をすることができたものであり、本件特許発明１ないし１２は特許法第２９条第２項の規定に違反してされたものであるから、請求項１ないし１２に係る特許は取り消すべきものである（以下、「理由１」という。）。
（２）本件特許発明１ないし１２は、発明の詳細な説明に記載したものでなく、請求項１ないし１２に係る特許は特許法第３６条第６項第１号に規定する要件を満たしていない特許出願に対してされたものであるから、請求項１ないし１２に係る特許は取り消すべきものである（以下、「理由２」という。）。
（３）本件特許発明１ないし１２は、明確でなく、請求項１ないし１２に係る特許は特許法第３６条第６項第２号に規定する要件を満たしていない特許出願に対してされたものであるから、請求項１ないし１２に係る特許は取り消すべきものである（以下、「理由３」という。）。
　
第４　当審の判断
　
１　各甲号証記載の発明及び技術
１−１　甲第１号証
（１）甲第１号証の記載
　本願の出願前に頒布された刊行物である甲第１号証（特開２０１１−５８８７６号公報）には、「地図表示装置」に関し、図面とともに、例えば、次のような記載がある。
　
（ア）「【０００１】
  本発明は、地図表示装置に関する。
…（後略）…」（段落【０００１】）
　
（イ）「【０００８】
−第１の実施形態−
  本発明の第１の実施形態におけるナビゲーション装置の構成を図１に示す。このナビゲーション装置１は、表示モニタ１６に表示された地図の表示履歴を記憶し、記憶した地図の表示履歴を地図の遷移によって表示することができる。
【０００９】
  第１の実施形態におけるナビゲーション装置１は、制御回路１１、ＲＯＭ１２、ＲＡＭ１３、現在地検出装置１４、画像メモリ１５、表示モニタ１６、入力装置１７、スピーカ１８、タッチパネル１９、タッチパネルコントロール部１１０、ディスクドライブ１１１および表示履歴記憶装置１１３を有している。ディスクドライブ１１１には、地図データを記憶したＤＶＤ−ＲＯＭ１１２が装填されている。
【００１０】
  制御回路１１は、マイクロプロセッサおよびその周辺回路からなる。この制御回路１１は、ＲＡＭ１３を作業エリアとしてＲＯＭ１２に格納された制御プログラムを実行して各種の制御を行う。制御回路１１は、ＤＶＤ−ＲＯＭ１１２に記憶された地図データに基づいて所定の経路探索を行い、その探索した経路を表示モニタ１６に表示させる。
【００１１】
  現在地検出装置１４は、ナビゲーション装置１の現在地を検出し、これによりナビゲーション装置１が搭載されている車両の現在地を検出する装置である。現在地装置１４は、振動ジャイロ１４ａ、車速センサ１４ｂ、ＧＰＳ（Ｇｌｏｂａｌ  Ｐｏｓｉｔｉｏｎｉｎｇ  Ｓｙｓｔｅｍ）センサ１４ｃなどからなる。振動ジャイロ１４ａは車両の進行方向を検出し、車速センサ１４ｂは車速を検出する。ＧＰＳセンサ１４ｃは、ＧＰＳ衛星から送信されるＧＰＳ信号に基づいて現在地を検出する。現在地検出装置１４は、これらの装置１４ａ〜１４ｃが検出した情報を使用して車両の現在地を検出する。
【００１２】
  ナビゲーション装置１は、現在地検出装置１４により検出された車両の現在地、地図の縮尺および地図の向きに基づいて、地図の表示範囲を決定する。地図の向きとは、表示モニタ１６に表示されている地図の上の方向であり、地図の上を北とするノースアップ、地図の上を進行方向とするヘディングアップなどがある。また、ナビゲーション装置１は地図上に現在地を表示する。
…（中略）…
【００１５】
  タッチパネル１９は、表示モニタ１６の表面に積層される透明のタッチスイッチであり、表示モニタ１６に表示される画像はタッチパネル１９を透過して表示される。表示モニタ１６に表示されたボタンやメニュー画面の項目などをユーザが指などで押圧すると、タッチパネル１９が押圧される。タッチパネル１９は、押圧位置に応じた信号をタッチパネルコントロール部１１０に出力する。タッチパネルコントロール部１１０は、タッチパネル１９から出力された信号に基づいてタッチパネル１９の押圧位置を算出し、その算出結果を制御回路１１に出力する。制御回路１１は、その押圧位置に基づいて、押圧された各種ボタンやメニュー画面の項目などに定義された処理が実行されるように制御を行う。
…（中略）…
【００１７】
  地図表示用データは、広域から詳細まで複数段階の縮尺の地図データを有する。これにより、ナビゲーション装置１は、ユーザの要求にしたがって、表示地図の縮尺を段階的に変更することができる。なお、ＤＶＤ−ＲＯＭ１１２以外の他の記録メディア、たとえばＣＤ−ＲＯＭやハードディスクなどから地図データを読み出してもよい。
…（中略）…
【００２２】
  表示履歴記憶装置１１３は、フラッシュメモリやハードディスクなどの書き換え可能な不揮発性記録媒体によって構成され、表示モニタ１６に表示されていた地図の表示履歴を記憶する。上述したように、地図の表示範囲は、現在地検出装置１４により検出された車両の現在地、地図の縮尺および地図の向きに基づいて決定されるので、表示履歴として、車両の現在地、地図の縮尺および地図の向きを時系列的に順次記憶する。なお、表示モニタ１６に表示されていた地図を再現できる情報であれば、表示履歴として記憶する情報は、車両の現在地、地図の縮尺および地図の向きに限定されない。たとえば、表示されていた地図を画像データとして記憶してもよい。また、地図の縮尺や地図の向きまでも再現する必要がない場合は、車両の現在地のみを記憶するようにしてもよい。」（段落【０００８】ないし【００２２】）
　
（ウ）「【００２３】
  次に、図２を参照して、第１の実施形態における地図の表示履歴表示処理について説明する。図２の処理は、表示モニタ１６に地図が表示されるとスタートするプログラムであり、制御回路１１で実行される。表示モニタ１６に表示される地図の縮尺および地図の向きは予め設定されており、その設定の情報はＲＡＭ１３に記憶されているものとして説明する。
【００２４】
  ステップＳ１０１では、表示モニタ１６にリプレイボタンを表示させる。リプレイボタンは、地図の表示履歴の表示を開始させるためのボタンである。図３を参照してリプレイボタンの例を説明する。図３は、表示モニタ１６の画面を示す図であり、画面には現在地周辺の地図２０Ａが表示されている。地図２０Ａ上には、車両の現在地を示す現在地マーク２１Ａとともにリプレイボタン２２が表示される。
【００２５】
  図２のステップＳ１０２では、現在地検出装置１４を使用して車両の現在地を検出する。ステップＳ１０３では、表示モニタ１６に表示されている地図の縮尺をＲＡＭ１３から読み出す。ステップＳ１０４では、表示モニタ１６に表示されている地図の向きをＲＡＭ１３から読み出す。
【００２６】
  ステップＳ１０５では、ステップＳ１０２で検出された車両の現在地、ステップＳ１０３で読み出された地図の縮尺およびステップＳ１０４で読み出された地図の向きに基づいて地図の中の表示範囲を決定して、表示モニタ１６に現在地周辺の地図を表示させる。ステップＳ１０６では、ステップＳ１０２で検出された車両の現在地、ステップＳ１０３で読み出された地図の縮尺およびステップＳ１０４で読み出された地図の向きを表示履歴記憶装置１１３に記憶させる。
【００２７】
  ステップＳ１０７では、タッチパネルコントロール部１１０で算出されたタッチパネル１９の押圧位置に基づいて、リプレイボタンが押圧されたか否かを判定する。リプレイボタンが押圧された場合はステップＳ１０７が肯定判定され、ステップＳ１０８へ進む。リプレイボタンが押圧されない場合はステップＳ１０７が否定判定され、ステップＳ１０２に戻る。
【００２８】
  ステップＳ１０８では、リプレイボタンが押圧されたとき以前の１０秒間に記憶された現在地、地図の縮尺および地図の向きを表示履歴記憶装置１１３から読み出す。ステップＳ１０９では、表示履歴記憶装置１１３から読み出した上記データに基づいて、地図を遷移させて表示履歴を表示モニタ１６に表示させる。つまり、表示モニタ１６に表示されていたときと同じように地図をスクロールして表示履歴を表示させる。
【００２９】
  ステップＳ１１０では、表示モニタ１６における地図の表示が終了したか否かを判定する。地図の表示が終了した場合はステップＳ１１０が肯定判定され、地図の表示履歴表示処理を終了する。地図の表示が終了していない場合はステップＳ１１０が否定判定され、ステップＳ１０１に戻る。
【００３０】
  以上の第１の実施形態におけるナビゲーション装置１は次のような作用効果を奏する。
（１）表示モニタ１６に表示された地図の表示画面を表示履歴情報として記憶する表示履歴記憶装置１１３と、表示履歴情報の表示を指示するタッチパネル１９と、表示の指示がされたとき、表示履歴記憶装置１１３に記憶されている表示履歴情報に基づいて、所定時間前からの表示画面を再現して表示モニタ１６に表示させる制御回路１１とを備えるようにした。これにより、表示モニタ１６に過去に表示されていた地図について確認することができる。
【００３１】
（２）押圧される前の所定時間の地図の表示履歴を再現するリプレイボタン２２を現在地周辺の地図２０Ａとともに表示するようにした。これにより、現在地周辺の地図２０Ａを表示モニタ１６に表示しているとき、見過ごしてしまった地図の表示をすぐに再現することができ、便利である。なお、第１の実施形態では、所定時間は１０秒であったが、ユーザが確認したい時間によって、その所定時間を適宜選択することができる。たとえば、リプレイボタンを押圧する前の２０秒間に表示モニタ１６に表示されていた地図を確認したい場合は、所定時間を２０秒としてもよい。」（段落【００２３】ないし【００３１】）
　
（２）甲第１号証記載の事項
　上記（１）（ア）ないし（ウ）及び図１ないし図３の記載から、甲第１号証には、次の事項が記載されていることが分かる。
　
（カ）上記（１）（ア）ないし（ウ）及び図１ないし図３の記載から、甲第１号証には、ナビゲーション装置が記載されていることが分かる。
　
（キ）上記（１）（イ）及び図１ないし図３の記載から、甲第１号証に記載されたナビゲーション装置は、地図表示用データに基づいて、車両の現在地周辺の地図を表示モニタ１６に表示する制御回路１１を有することが分かる。
　
（ク）上記（１）（イ）及び図１ないし図３の記載から、甲第１号証に記載されたナビゲーション装置は、表示履歴として、車両の現在地、地図の縮尺および地図の向きを時系列的に順次記憶する表示履歴記憶装置１１３を有することが分かる。
　
（ケ）上記（１）（ウ）及び図１ないし図３の記載から、甲第１号証に記載されたナビゲーション装置において、制御回路１１は、リプレイボタンが押圧された場合に、リプレイボタンが押圧されたとき以前の所定時間に記憶された現在地、地図の縮尺および地図の向きを表示履歴記憶装置１１３から読み出し、その読み出したデータに基づいて、地図を遷移させて表示履歴を表示モニタ１６に表示させるものであることが分かる。
　
（３）甲１発明
　上記（１）及び（２）並びに図１ないし図３の記載から、甲第１号証には、次の発明（以下、「甲１発明」という。）が記載されているといえる。
　
「地図表示用データに基づいて、車両の現在地周辺の地図を表示モニタ１６に表示する制御回路１１と、
　表示履歴として、車両の現在地、地図の縮尺および地図の向きを時系列的に順次記憶する表示履歴記憶装置１１３とを有し、
　制御回路１１は、リプレイボタンが押圧された場合に、リプレイボタンが押圧されたとき以前の所定時間に記憶された現在地、地図の縮尺および地図の向きを表示履歴記憶装置１１３から読み出し、その読み出したデータに基づいて、地図を遷移させて表示履歴を表示モニタ１６に表示させるナビゲーション装置。」
　
１−２　甲第２号証
（１）甲第２号証の記載
　本願の出願前に頒布された刊行物である甲第２号証（特開平２−４３５９３号公報）には、「車載用地図表示装置」に関し、図面とともに、例えば、次のような記載がある。
　
（サ）「本発明は、ＣＤ−ＲＯＭ等の記憶手段に記憶された地図をＣＲＴ等のディスプレイに表示するとともに、算出された自動車の現在地を画面に表示させることができる車載用の地図表示装置に関するものである。
…（中略）…
　走行中に、目的地付近の道路状況を定期的に確認したい場合や、高速道路のインターチェンジにおけるランプ開鎖等を確認したい場合等が生ずるが、かかる場合に目的地付近またはインターチェンジの道路状況を示す画面をＣＲＴディスプレイに表示させるため、画面選択操作を行なって通常の走行モードから所要の画面へ変更しなければならない。
　しかし画面選択操作は画面の縮尺操作も伴って必ずしも簡単ではなく時間も要するので、運転中にかかる操作を行うのは極めて面倒である。
　一度ならず数度にわたって確認作業を必要とするときには、その度毎に画面の選択操作を行うのは煩雑である。」（第１ページ左下欄第１６行ないし第２ページ左上欄第６行）
　
（シ）「　以上の制御系における表示制御について一例を挙げ、画面表示（第３図ないし第１１図）を伴って説明する。
　まず表示スイッチ１１を押すと、任意の画面がＣＲＴディスプレイ２に表示される（第３図）。
　このとき、自動車の現在地が×印で表示される。
　なお表示スイッチ１１のＯＮ操作で表示オフ状態の画面表示としてもよい。
　そして縮小スイッチ１２，拡大スイッチ１３を操作し所要の大きさの地図として画面表示させる（第４図）。
　ここでセットスイッチ１８を押すと、×印が目的地を表示する◎印となる（第５図）。
　そして４個の移動スイッチ１４を操作して◎印を所定の目的地まで移動させる（第６図）。
　例えば上方の移動スイッチ１４を押せば◎印は画面の地図上を上方に移動し、右方の移動スイッチ１４を押せば地図上を右方へ移動する。
　このとき、画面中に目的地がない場合は、縮小スイッチ１２により地図を縮小して目的地が画面内に入るようにしたのち移動スイッチ１４を操作して同目的地に◎印を移動させる（第７図）。
　目的地に至るまでの間で、高速道路に入るインターチェンジがあり、同インターチェンジの道路状態を定期的に確認したい場合に、前記◎印が移動スイッチ１４の操作により同インターチェンジがあるＡ点に移動したときに、移動を停止し、拡大スイッチ１３を押して所要の拡大画面を表示させ（第８図参照）、メモリスイッチ１６を２秒以上押すと画面右上方にＭ表示がなされ同画面がＲＡＭ３２に記憶されたことが示される。
　そして目的地スイッチ１７を押し、元の画面に戻しＡ点に位置する◎印を移動スイッチ１４を操作して目的地まで移動させ、再度目的地スイッチ１７を押すと、現在地にＸ印が再表示される（第９図）。
　ここでセットスイッチ１８を押すと目的地が記憶され、地図表示装置１への設定操作は完了する。
　走行モードスイッチ１５を押せば、現在地を含む所定の縮尺率における画面が表示され（第１０図）、自動車は○▲（当審注：原文では、「○」の中に▲。以下、同じ。）印で示され、走行に伴ない画面および地図上の○▲印も自動的に移動し、運転者に何処を走行しているかを示すことができる。
　走行中に、前記Ａ点付近の道路状態を確認したいときは、メモリスイッチ１６を押せば、予めＲＡＭ３２に記憶されていた第８図図示の画面が呼出されてＣＲＴディスプレイ２に瞬時に表示される。
　したがって走行中に画面の選択操作を行うといった煩しい作業をしなくてすみ、ボタンを押す簡単な操作で所要の画面を呼出することができるので極めて便利である。
　そして再度メモリスイッチ１６を押せば、元の走行モードに復帰する。
　また走行モードで目的地スイッチ１７を押せば、目的地付近の地図を表示することができるので、目的地付近の道路状態の確認も簡単にできる。
　さらに走行モードにおいて、現在地から目的地までの全体の地図を見たいときは、縮小スイッチ１２を押せば第１１図に図示するように広範囲をしめす地図上で現在地がどのあたりにあるかを確認することができる。
　以上のように本実施例における地図表示装置１は、出発地から目的地までの間の主要な分岐地点あるいは高速道路のインターチェンジ等の道路状態を確認したいと思われる地点付近の画面を予め所要縮尺率でＲＡＭ３２に記憶させておくことで、走行中必要な時にメモリスイッチ１６を押す簡単な操作で同画面をＣＲＴディスプレイ２に瞬時に表示して確認できるので、操作性の向上、情報取得時間の短縮が図られ、運転中に地図表示装置の煩わしい操作をすることを回避できる。」（第２ページ右下欄第８行ないし第３ページ左下欄第１８行）
　
（２）甲第２号証記載の技術
　上記（１）（サ）及び（シ）並びに第３ないし１１図の記載から、甲第２号証には、次の技術が記載されているといえる。
　
「車載用地図表示装置において、出発地から目的地までの間の主要な分岐地点あるいは高速道路のインターチェンジ等の道路状態を確認したいと思われる地点付近の画面を、予め所要縮尺率で記憶させておくことで、走行中必要な時にメモリスイッチ１６を押す簡単な操作で同画面をＣＲＴディスプレイ２に瞬時に表示して確認することを可能とする技術。」（以下、「甲２技術」という。）
　
１−３　甲第３号証
（１）甲第３号証の記載
　本願の出願前に頒布された刊行物である甲第３号証（特開２００８−１２２３４０号公報）には、「ナビゲーション装置」に関し、図面とともに、例えば、次のような記載がある。
　
（タ）「【０００１】
  本発明は、ナビゲーション装置に関し、特に、目的地に到着した後にユーザの移動を予測して周辺施設を自動で表示する技術に関する。
…（後略）…」（段落【０００１】）
　
（チ）「【００２２】
  次に、本実施例のナビゲーション装置における目的地到着後の周辺施設表示動作について図３のフローチャートを参照して説明する。本実施例のナビゲーション装置６は、設定された目的地に到着後に目的地周辺の施設への移動が予測されたとき、自動的に自車位置周辺の施設データを一定のスケールの道路地図上に表示する機能を備えている。
【００２３】
  まず、ユーザ入力インターフェース２０を介して目的地の設定が行われると（ステップＳ１０１）、制御部８０は、目的地までの最適経路を探索する（ステップＳ１０２）。そして、制御部８０は、自車の走行の開始に伴い目的地までの経路案内を開始する（ステップＳ１０３）。制御部８０は、バスインターフェース１０およびＧＰＳ受信機１２の出力に基づき自車位置を検出し、検出された自車位置周辺の道路地図をディスプレイに表示し、かつ自車位置マークを探索された誘導経路上に表示する。経路案内は、ディスプレイによる表示に加えて、スピーカ４２による音声案内も行われる。
…（中略）…
【００３０】
  再び図３に戻り、制御部８０は、図５に示すような詳細スケールで自車位置周辺の施設データを表示した後、一定の条件でその表示を解除する（ステップＳ１０７）。例えば、ユーザが施設データを目的地に設定したとき、道路地図を一定距離または一定時間以上スクロールさせたとき（表示画面内にユーザの移動先がないと推測されるため）、ユーザから終了の指示があったとき、元の地図画面（例えば図４の広域スケール）に戻す（ステップＳ１０８）。」（段落【００２２】ないし【００３０】）
　
（２）甲第３号証記載の技術
　上記（１）（タ）及び（チ）並びに図３の記載から、甲第２号証には、次の技術が記載されているといえる。
　
「ナビゲーション装置において、設定された目的地に到着後に目的地周辺の施設への移動が予測されたとき、自動的に自車位置周辺の施設データを一定のスケールの道路地図上に表示し、ユーザが施設データを目的地に設定したとき等一定の条件でその表示を解除する技術。」（以下、「甲３技術」という。）
　
１−４　甲第４号証
（１）甲第４号証の記載
　本願の出願前に頒布された刊行物である甲第４号証（特開２００７−１３９４９２号公報）には、「ナビゲーション装置およびランドマーク強調表示方法」に関し、図面とともに、例えば、次のような記載がある。
　
（ナ）「【０００１】
本発明はナビゲーション装置およびランドマーク強調表示方法に関し、詳しくは、地図およびランドマークを表示器に表示するナビゲーション装置およびそのランドマーク強調表示方法に関する。
…（後略）…」（段落【０００１】）
　
（ニ）「【００２０】
ランドマークの視認性を高め、例えば目的地を設定する際の認識動作を楽に行えるようにするという目的を、ナビゲーション装置の地図表示において、過去に多く訪問した地点のランドマークを強調表示することにより達成した。
…（中略）…
【００５５】
図８は、「店」のランドマークが図７とは異なる方法で強調表示されている他の例を示す。ここでは、２つある「店」のランドマークのうち、強調表示の対象となる一方のランドマーク自体を大きく拡大して表示することで、他方のランドマークの通常表示より目立つように強調表示している。」（段落【００２０】ないし【００５５】）
　
（２）甲第４号証記載の技術
　上記（１）（ナ）及び（ニ）並びに図８の記載から、甲第４号証には、次の技術が記載されているといえる。
　
「ナビゲーション装置において、ランドマーク自体を大きく拡大して表示することで、他のランドマークの通常表示より目立つように強調表示する技術。」（以下、「甲４技術」という。）
　
１−５　甲第５号証
（１）甲第５号証の記載
　本願の出願前に頒布された刊行物である甲第５号証（特開２０１０−２８１７７０号公報）には、「ナビゲーション装置およびアイコン表示方法」に関し、図面とともに、例えば、次のような記載がある。
　
（ハ）「【０００１】
  本発明は、ナビゲーション装置およびアイコン表示方法に関し、特に、宿泊施設や飲食店などのＰＯＩ（Point Of Interest）のアイコンを道路地図上にランドマークとして表示する機能を備えたナビゲーション装置に用いて好適なものである。
…（後略）…」（段落【０００１】）
　
（ヒ）「【００３５】
  アイコン発生部２０は、ディスプレイ装置７に表示中の地図エリア内に過去設定地点があるとの通知を設定地点判定部１９より受けた場合、設定地点判定部１９からの要求に応じて地図バッファ１１に格納されたＰＯＩデータに基づいて、ディスプレイ装置７に表示されている地図画像の表示縮尺に対応したレベルのＰＯＩアイコンに加えて、過去設定地点のＰＯＩアイコン（設定中の表示縮尺に対応したレベルに属するかどうかは問わない）を発生して画像合成部２１に出力する。このアイコン発生部２０および画像合成部２１は、本発明のアイコン表示部に相当する。」（段落【００３５】）
　
（フ）「【００４４】
  以上詳しく説明したように、本実施形態では、現在表示されている地図画像のエリア内に、目的地として設定されたことのある地点が存在する場合に、現在表示中の地図画像の表示縮尺に関わらず、目的地として設定された地点のＰＯＩアイコンを地図画像上に表示するようにしている。これにより、地図画像の表示縮尺をどのように設定していても、過去に目的地として設定されたことのある地点のアイコンが必ず地図画像上に表示される。」（段落【００４４】）
　
（２）甲第５号証記載の技術
　上記（１）（ハ）ないし（フ）及び図２の記載から、甲第５号証には、次の技術が記載されているといえる。
　
「ナビゲーション装置において、ディスプレイ装置７に表示されている地図画像の表示縮尺に対応したレベルのＰＯＩアイコンに加えて、過去設定地点のＰＯＩアイコン（設定中の表示縮尺に対応したレベルに属するかどうかは問わない）を発生して画像合成部２１に出力する技術。」（以下、「甲５技術」という。）
　
１−６　甲第６号証
（１）甲第６号証の記載
　本願の出願前に頒布された刊行物である甲第６号証（特開２０１０−１２２０６５号公報）には、「地図表示装置、および、地図表示方法」に関し、図面とともに、例えば、次のような記載がある。
　
（マ）「【０００１】
  本発明は、地図表示装置、および、地図表示方法に関する。
…（中略）…
【０００２】
  ナビゲーション装置などの地図表示装置に使用されるディスプレイは、近年、大型化してきている。
…（後略）…」（段落【０００１】及び【０００２】）
　
（ミ）「【００２３】
  また、表示処理部１０３は、広域画面５００上の１点を指定する指示がされたとき（例えば、広域画面５００上の１点がユーザにタッチされたとき）には、その指示に対応する地点を中心地点（中心位置）とする詳細地図を、詳細画面５５０上に表示させる。このとき、詳細地図の中心地点について複数個の候補がある場合には、ユーザに１つの候補を選択させるための候補リスト（以下では、「候補地点リスト５２５」とよぶ）を表示させる。」（段落【００２３】）
　
（ム）「【００３５】
  登録処理部１０４は、新たな候補地点の登録が指示されたと判定したとき（ステップＳ１０２；Ｙｅｓ）、処理をステップＳ１０３に移行して、新たな候補地点を登録する処理を行う（ステップＳ１０３）。具体的には、登録処理部１０４は、ユーザに指定された候補地点を、候補位置情報４００に記憶する。
  ここで、候補位置情報４００に候補地点を記憶する手順の一例を示す。例えば、登録処理部１０４は、まず、指定された候補地点が含まれる領域に割り当てられているメッシュＩＤ３１１を、地図データ３１０から取得し、候補位置情報４００に新たに生成したレコード４６０の選択領域ＩＤ４１０に記憶する。続いて、候補地点ＩＤ４２０を生成して、先に記憶した選択領域ＩＤ４１０に対応付けて記憶する。さらに、指定された候補地点の位置４３０、名称４４０を、それぞれ、先に記憶した選択領域ＩＤ４１０及び候補地点ＩＤ４２０に対応付けて記憶する。
  なお、候補地点の指定方法は、任意の方法でよいが、例えば、表示している地図上でタッチされた１つの地点を候補地点としてもよいし、地名のリストから選択された１つの地点を候補地点としてもよい。」（段落【００３５】）
　
（２）甲第６号証記載の技術
　上記（１）（マ）ないし（ム）及び図１０の記載から、甲第６号証には、次の技術が記載されているといえる。
　
「ナビゲーション装置などの地図表示装置において、広域画面５００上の１点を指定する指示がされたとき（例えば、広域画面５００上の１点がユーザにタッチされたとき）には、その指示に対応する地点を中心地点（中心位置）とする詳細地図を、詳細画面５５０上に表示させる技術。」（以下、「甲６技術」という。）
　
２　理由１について
（１）本件特許発明１について
　本件特許発明１と甲１発明とを対比すると、甲１発明における「地図表示用データ」は、その構成、機能又は技術的意義からみて、「地図データ」に相当し、以下同様に、「車両」は「自車両」に、「現在地周辺の地図を表示モニタ１６に表示する」は「現在地周辺の第１の地図画像を生成し表示画面に表示する」に、「制御回路１１」は「第１の地図表示制御部」に、「有し」は「備え」に、「ナビゲーション装置」は「ナビゲーション装置」に、それぞれ相当する。
　以上から、本件特許発明１と甲１発明は、
「地図データに基づいて、自車両の現在地周辺の第１の地図画像を生成し表示画面に表示する第１の地図表示制御部を備えたナビゲーション装置。」
である点で一致し、次の点で相違する。
・本件特許発明１においては、「操作部に対するユーザ操作に応じて、前記第１の地図表示制御部により現在表示されている前記第１の地図画像上において、前記ユーザが所望する任意の地点を示す地点情報を地点情報記憶部に記録するとともに、当該第１の地図画像の表示形式を規定する表示形式情報を表示形式情報記憶部に記録する記録制御部と、前記操作部に対するユーザ操作に応じて、前記記録制御部により記録された前記表示形式情報に基づいて、前記地点情報により示される地点周辺の第２の地図画像を表示するための設定を行った上で、前記地図データに基づいて前記第２の地図画像を生成し前記表示画面に表示する第２の地図表示制御部とを備え」るのに対し、甲１発明においては、「表示履歴として、車両の現在地、地図の縮尺および地図の向きを時系列的に順次記憶する表示履歴記憶装置１１３」を有し、「制御回路１１は、リプレイボタンが押圧された場合に、リプレイボタンが押圧されたとき以前の所定時間に記憶された現在地、地図の縮尺および地図の向きを表示履歴記憶装置１１３から読み出し、その読み出したデータに基づいて、地図を遷移させて表示履歴を表示モニタ１６に表示させる」ものである点（以下、「相違点」という。）。
　そこで、この相違点について検討すれば、甲２技術ないし甲６技術のいずれも、上記相違点に係る本件特許発明１の発明特定事項に相当する技術とはいえないので、甲第２ないし６号証に上記相違点に係る本件特許発明１の発明特定事項について開示又は示唆されているとはいえない。
　そして、本件特許発明１は、上記相違点に係る本件特許発明１の発明特定事項を有することにより、本件特許出願の願書に添付された明細書の段落【００１３】に記載されているように、自車両の停車中に表示される、走行中に記録した地点情報により示される地点周辺の地図画像の表示形式が、当該自車両の走行中に表示されていた地点周辺の地図画像の表示形式と一致することとなり、ユーザは、走行中に気になる施設を発見した場合に地図を見たときに近い感覚で、自車両の停車中に呼び出して表示される地図を見ることができるから、気になる施設を発見したときに表示される地図と自車両の停車中に呼び出して表示される地図との違いを意識しなくてすみ、自車両の停車時に表示される地図の中で気になる施設を容易に探すことができるとの作用効果を奏するものである。
　したがって、本件特許発明１は、甲１発明及び甲第２ないし６号証に記載された事項に基づいて、当業者が容易に発明をすることができたものではない。
　
　特許異議申立人は、本件特許発明１と甲１発明は、「地図データに基づいて、自車両の現在地周辺の第１の地図画像を生成し表示画面に表示する第１の地図表示制御部と、前記第１の地図表示制御部により現在表示されている前記第１の地図画像上において、前記ユーザが所望する任意の地点を示す地点情報を地点情報記憶部に記録するとともに、当該第１の地図画像の表示形式を規定する表示形式情報を表示形式情報記憶部に記録する記録制御部と、前記操作部に対するユーザ操作に応じて、前記記録制御部により記録された前記表示形式情報に基づいて、前記地点情報により示される地点周辺の第２の地図画像を表示するための設定を行った上で、前記地図データに基づいて前記第２の地図画像を生成し前記表示画面に表示する第２の地図表示制御部とを備えたナビゲーション装置。」である点で一致する旨を主張しているが、甲１発明は、操作部に対するユーザ操作に応じて、現在表示されている地図上において、ユーザが所望する任意の地点を示す地点情報を記録し、操作部に対するユーザ操作に応じて、前記地点情報により示される地点周辺の地図を表示するものではないから、かかる主張は失当である。
　
（２）本件特許発明２ないし１１について
　本件特許発明２ないし１１は、本件特許発明１をさらに減縮したものであるから、上記本件特許発明１に係る発明と同様の理由により、甲１発明及び甲第２ないし６号証に記載された事項に基づいて、当業者が容易に発明をすることができたものではない。
　
（３）本件特許発明１２について
　本件特許発明１２は、「物」の発明である本件特許発明１を「方法」として表現したものであるところ、特許異議申立人は本件特許発明１と同様に甲１及び２号証に記載された発明に基づいて容易想到である旨を主張しているが、上記本件特許発明１に係る発明と同様の理由により、甲１発明及び甲第２ないし６号証に記載された事項に基づいて、当業者が容易に発明をすることができたものではない。
　
３　理由２について
　特許異議申立人は、本件特許発明１における発明特定事項である「設定」は、記録制御部により記録された表示形式情報に基づいて行われるもので、地点情報により示される地点周辺の第２の地図画像を表示するために行われるものであるにすぎず、第２の地図画像は地図データに基づいて生成されるものであるから、地図データに含まれる地点であり、記録制御部に記録された「ユーザが所望する任意の地点を示す地点情報」とは全く関係のない地点について、第２の地図画像を生成する場合も含んでおり、本件特許発明１は本件出願の願書に添付された明細書の発明の詳細な説明に記載した範囲を超えるものである旨を主張している。
　しかし、本件出願の願書に添付された明細書の発明の詳細な説明には、「操作部に対するユーザ操作に応じて、記録しておいた表示形式情報に基づいて、同様に記録しておいた地点情報により示される地点周辺の地図画像を表示するための設定を行った上で、地図データに基づいて当該地図画像を生成し表示する」（段落【００１２】）ものであって、「現在位置検出部２４０により検出された自車位置情報に基づいて、
自車両の現在地を示す地点情報を地点情報記憶部３００に記録する
地点情報記憶部３００に記憶されている地点情報により示される記録地点周辺の第２の地図画像を表示する
　そして、本件特許発明１は、「操作部に対するユーザ操作に応じて、前記第１の地図表示制御部により現在表示されている前記第１の地図画像上において、前記
ユーザが所望する任意の地点を示す地点情報を地点情報記憶部に記録する
前記地点情報により示される地点周辺の第２の地図画像を表示するための設定
　また、本件特許発明１の発明特定事項を引用する本件特許発明２ないし１１、及び本件特許発明１２についても、上記と同様に、発明の詳細な説明に記載した範囲のものである。
　
４　理由３について
　特許異議申立人は、本件特許発明１には、第２の地図表示制御部について、「前記操作部に対するユーザ操作に応じて、前記記録制御部により記録された前記表示形式情報に基づいて、前記地点情報により示される地点周辺の第２の地図画像を表示するための設定を行った上で、前記地図データに基づいて前記第２の地図画像を生成し前記表示画面に表示する」との規定があるが、この規定のみでは、第２の地図画像を表示するための設定が何に用いられるのかを明確に把握することができず、具体的には、前記操作部に対するユーザ操作に応じて、前記地点情報により示される地点周辺の第２の地図画像を表示するための設定を行うのか、前記地図データに基づいて、前記第２の地図画像を生成し前記表示画面に表示するのか、あるいはこれらのどちらも前記操作部に対するユーザ操作に応じて行うのか、を明確に把握することができない旨を主張している。
　また、特許異議申立人は、本件特許発明１２における「第３のステップ」についても、同様の理由により、発明を明確に把握することができない旨を主張している。
　しかし、請求項１の記載において、「第１の地図画像の表示形式を規定する表示形式情報」に基づいて「第２の地図画像を表示するための設定を行」うこと、及び「前記操作部に対するユーザ操作に応じて」、「第２の地図画像を表示するための設定を行った上で、…前記第２の地図画像を生成し、前記表示画面に表示する」ことは、明確である。
　そして、請求項１２の記載においても、「第１の地図画像の表示形式を規定する表示形式情報」に基づいて「第２の地図画像を表示するための設定を行」うこと、及び「第３ステップ」において「前記操作部に対するユーザ操作に応じて」、「第２の地図画像を表示するための設定を行った上で、…前記第２の地図画像を生成し、前記表示画面に表示する」ことは、明確であ
る。
　したがって、本件特許発明１及び１２は明確である。
　また、本件特許発明１の発明特定事項を引用する本件特許発明２ないし１１についても、上記と同様に、明確である。
　
第５　むすび
　以上から、特許異議申立ての理由及び証拠によっては、請求項１ないし１２に係る特許を取り消すことはできない。
　また、他に請求項１ないし１２に係る特許を取り消すべき理由を発見しない。
　よって、結論のとおり決定する。
【異議決定日】
平成２８年３月２２日（２０１６．３．２２）